(57)【要約】      （修正有）【課題】ローリングシャッタ歪み補正範囲を光学ファインダ上で撮影者に通知することにより、撮影者が意図した位置で測距が可能にした撮像装置を提供する。【解決手段】被写体像の光を分割するミラー３０を備え、分割された一方の像がファインダ２に導光され、分割されたもう一方の像が、複数の撮影画素と複数の位相差検出画素を配した撮像素子３１に導光され、複数の位相差検出画素によって被写体までの距離を測距する測距手段１０２を備え、複数の撮影画素と複数の位相差検出画素をローリングシャッタ方式で読み出して撮影画素内にある被写体の動きベクトルを算出する制御手段１００を備え、算出結果に基づいて、歪み補正を行うか否かを判定する判定手段３３を備え、歪み補正を実行すると判定された場合は、制御手段１００における算出結果から歪み補正量ｔ′を決定し、歪み補正量ｔ′から算出される焦点検出領域をファインダ２上の表示部に表示させる。【選択図】図２
2018005145.tif 000002
【特許請求の範囲】
【請求項１】
被写体像の光を分割するミラー（３０）を備え、
前記ミラー（３０）によって分割された一方の像がファインダ（２）に導光され、
前記ミラー（３０）によって分割されたもう一方の像が、複数の撮影画素と複数の位相差検出画素を配した撮像素子（３１）に導光され、
前記複数の位相差検出画素によって前記被写体までの距離を測距する測距手段（１０２）を備え、
前記複数の撮影画素と前記複数の位相差検出画素をローリングシャッタ方式で読み出して前記撮影画素内にある被写体の動きベクトルを算出する制御手段（１００）を備え、
前記制御手段（１００）における算出結果に基づいて、歪み補正を行うか否かを判定する判定手段（３３）を備え、
前記判定手段（３３）により、歪み補正を実行すると判定された場合は、前記制御手段（１００）における算出結果から歪み補正量（ｔ′）を決定し、
前記歪み補正量（ｔ′）から算出される焦点検出領域（２７′）を前記ファインダ（２）上の表示部（２１）に表示させることを特徴とする撮像装置。
【請求項２】
被写体像の光を分割するミラー（３０）を備え、
前記ミラー（３０）によって分割された一方の像がファインダ（２）に導光され、
前記ミラー（３０）によって分割されたもう一方の像が、複数の撮影画素と複数の位相差検出画素を配した撮像素子（３１）に導光され、
前記複数の位相差検出画素によって前記被写体までの距離を測距する測距手段（１０２）を備え、
前記複数の撮影画素と前記複数の位相差検出画素をローリングシャッタ方式で読み出して前記撮影画素内にある被写体の動きベクトルを算出する制御手段（１００）を備え、
前記制御手段（１００）における算出結果に基づいて、歪み補正を行うか否かを判定する判定手段（３３）を備え、
前記判定手段（３３）により、歪み補正を実行すると判定された場合は、前記制御手段（１００）における算出結果から歪み補正量（ｔ′）を決定する撮像装置において、
撮影者が測距点を選択できる選択手段を備え、
前記選択手段によって選択された測距選択点（２６′）が、撮像素子（３１）の焦点検出可能領域（２７）の中に入っているか否かを判定する測距点判定手段を有し、
前記測距点判定手段によって、前記測距選択点（２６′）が前記焦点検出可能領域（２７）の中に入っていないと判定された場合は、前記ファインダ（２）上の表示部（２１）に警告表示（２５ｅ）を行うことを特徴する撮像装置。
【請求項３】
前記測距点判定手段によって、前記測距選択点（２６′）が前記焦点検出可能領域（２７）の中に入っていないと判定された場合は、前記ファインダ（２）上の表示部（２１）に近似測距点（２９）で合焦を行うことを特徴とする請求項１又は請求項２に記載の撮像装置。
【請求項４】
前記近似測距点（２９）は、前記焦点検出可能領域（２７）の中にあり、前記測距選択点（２６′）に水平方向で最近接した位置に対応するであることを特徴とする請求項３に記載の撮像装置。
【請求項５】
前記近似測距点（２９）は、前記焦点検出可能領域（２７）の中にあり、前記測距選択点（２６′）に最近接した位置であることを特徴とする請求項３に記載の撮像装置。
【請求項６】
前記測距点判定手段によって、前記測距選択点（２６′）が前記焦点検出可能領域（２７）の中に入っていないと判定された場合は、前記ファインダ（２）上の表示部（２１）に前記近似測距点（２９）に対応する近似合焦点（２９′）を表示することを特徴とする請求項３乃至請求項５の何れか一項に記載の撮像装置。
【請求項７】
前記測距点判定手段によって、前記測距選択点（２６′）が前記焦点検出可能領域（２７）の中に入っていないと判定された場合は、前記測距選択点（２６′）を点滅することを特徴とする請求項１乃至請求項６の何れか一項に記載の撮像装置。
【請求項８】
前記測距点判定手段によって、前記測距選択点（２６′）が前記焦点検出可能領域（２７）の中に入っていないと判定された場合は、前記測距選択点（２６′）の色を変更することを特徴とする請求項１乃至請求項７の何れか１項に記載の撮像装置。
【発明の詳細な説明】
【技術分野】
【０００１】
本発明は、撮像装置に関し、特にローリングシャッタ方式を用いて撮影する撮像装置に関する。
【背景技術】
【０００２】
近年、光学ファインダを有する一眼レフカメラにおいて、撮像用イメージセンサの画素の一部または全部を、複数のフォトダイオードに分割して蓄積電荷を読み出せるように構成された撮像装置がある。
【０００３】
特許文献１には、画素を水平方向に２分割し、分割した左側画素のみで生成した画像（以下、Ａ像）と右側画素のみで生成した画像（以下、Ｂ像）を独立して読み出しを行う技術が開示されている。Ａ像とＢ像が形成する、被写体への距離に応じた像ズレ量を、オートフォーカス（以下、ＡＦ）の対象とする画像領域において検出することで、被写体までの距離情報を算出できる。以下、撮像面位相差ＡＦと表記する。
【０００４】
撮像用イメージセンサとしてＣＭＯＳ（Complementary Metal Oxide Semiconductor）イメージセンサを用いた場合、ライブビュー表示や動画撮影等の連続撮影時に、撮像領域の上方から順次信号読み出しを行うローリングシャッタ方式が知られている。このローリングシャッタ方式は撮像領域内における読み出しタイミングにズレが発生するため、動きのある被写体を撮影した場合は、被写体の像が歪み、撮像面位相差ＡＦの距離情報に誤差が発生してしまう。
【０００５】
そこで、特許文献２には、Ａ像、Ｂ像の相関演算から算出された位相差量を、ローリングシャッタによる歪み量で補正して合焦制御する技術が開示されている。
【先行技術文献】
【特許文献】
【０００６】
【特許文献１】特開２０１５−１０８６７２号公報
【特許文献２】特開２０１４−１３９６７９号公報
【発明の概要】
【発明が解決しようとする課題】
【０００７】
しかしながら、特許文献２に開示された従来技術では、光学ファインダ上でローリングシャッタによる歪み補正範囲が確認できないため、撮影者は主被写体が歪み補正範囲内に位置しているかを判別できない。主被写体が歪み補正範囲の外に位置していた場合は、撮影者が意図した位置では正確に測距できない可能性がある。
【０００８】
そこで、本発明の目的は、ローリングシャッタ歪み補正範囲を光学ファインダ上で撮影者に通知することにより、撮影者が意図した位置での測距を可能にした撮像装置を提供することにある。
【課題を解決するための手段】
【０００９】
上記の目的を達成するために、本発明に係る撮像装置は、
被写体像の光を分割するミラーを備え、
前記ミラーによって分割された一方の像がファインダに導光され、
前記ミラーによって分割されたもう一方の像が、複数の撮影画素と複数の位相差検出画素を配した撮像素子に導光され、
前記複数の位相差検出画素によって前記被写体までの距離を測距する測距手段を備え、
前記複数の撮影画素と前記複数の位相差検出画素をローリングシャッタ方式で読み出して前記撮影画素内にある被写体の動きベクトルを算出する制御手段を備え、
前記制御手段における算出結果に基づいて、歪み補正を行うか否かを判定する判定手段を備え、
前記判定手段により、歪み補正を実行すると判定された場合は、前記制御手段における算出結果から歪み補正量を決定し、
前記歪み補正量から算出される焦点検出領域を前記ファインダ上の表示部に表示させることを特徴とする。
【発明の効果】
【００１０】
本発明によれば、ローリングシャッタ歪み補正範囲を光学ファインダ上で撮影者に通知することにより、撮影者が意図した位置での測距を可能にした撮像装置を提供することができる。
【図面の簡単な説明】
【００１１】
【図１】本発明の実施形態の一例であるデジタル一眼レフカメラを上面側および撮影者側から見た図である。
【図２】本発明の実施形態の一例であるデジタル一眼レフカメラの主要な電気的構成を示すブロック図である。
【図３】本発明の実施形態の一例であるデジタル一眼レフカメラで撮影者がファインダから被写体を観察した様子である。
【図４】本発明の実施形態の一例であるデジタル一眼レフカメラにおいて、ファインダから観察した被写体像と、同時刻に撮像素子からローリングシャッタ方式で読み出した被写体像を示した図である。
【図５】本発明の実施形態の一例であるデジタル一眼レフカメラの信号処理の流れの概略を示したフローチャートである。
【図６】本発明の実施形態の一例であるデジタル一眼レフカメラの信号処理の流れの概略を示したフローチャートである。
【発明を実施するための形態】
【００１２】
以下に、本発明の好ましい実施の形態を、添付の図面に基づいて詳細に説明する。
【００１３】
［実施例１］
以下、本発明の第１の実施例について図面を参照しながら説明する。
【００１４】
図１（Ａ）は本発明の実施形態の一例であるデジタル一眼レフカメラを上面側から見た図であり、図１（Ｂ）は本発明の実施形態の一例であるデジタル一眼レフカメラを撮影者側から見た図である。
【００１５】
図１（Ａ）に示すように、カメラ本体１は上面部にモード選択ダイヤル５００、メインダイヤル５０３およびレリーズボタン５１０などが配されている。モード選択ダイヤル５００は、シャッタ速度優先モード・絞り優先モードなどの撮影モードを変更する際に操作する撮影モード設定ダイヤル５０２と、カメラ本体１の電源をＯＮ／ＯＦＦ操作する電源ＳＷ５０１を備えている。
【００１６】
また、図１（Ｂ）に示すように、カメラ本体１は撮影者側の側面（以下、背面と表記する）に、撮影した画像や撮影条件などを表示可能なカラー液晶モニタ部５０４を備えている。カラー液晶モニタ部５０４は、表面を指等でなぞることでカメラ本体１の操作が可能な、タッチパネル機能を備えている。カラー液晶モニタ部５０４の上方には、撮影者が被写体像を観察するためのファインダ２が配されている。ファインダ２は本発明のファインダに相当する。
【００１７】
図２は本発明の実施形態の一例であるデジタル一眼レフカメラの主要な電気的構成を示すブロック図である。
【００１８】
カメラ本体１に内蔵されたマイクロコンピュータからなる中央処理装置（以下、「ＭＰＵ」と称する）１００は、カメラの動作制御を司るものであり、各要素に対して様々な処理や指示を実行する。ＭＰＵ１００に内蔵されたＥＥＰＲＯＭ１００ａは、後述する時刻計測回路１０９の計時情報やその他の情報を記憶することができる。ここで、ＭＰＵ１００は本発明の制御手段に相当する。
【００１９】
ＭＰＵ１００には、ミラー駆動回路１０１、焦点検出回路１０２、シャッタ駆動回路１０３、映像信号処理回路１０４、スイッチセンス回路１０５、測光回路１０６が接続されている。また、ＭＰＵ１００には、液晶表示駆動回路１０７、バッテリーチェック回路１０８、時刻計測回路１０９、電力供給回路１１０、圧電素子駆動回路１１１が接続されている。これらの回路は、ＭＰＵ１００の制御により動作するものである。
【００２０】
ＭＰＵ１００は、撮影レンズユニット２００ａ内のレンズ制御回路２０１とマウント接点５０７を介して通信を行う。マウント接点５０７は、撮影レンズユニット２００ａが接続されるとＭＰＵ１００へ信号を送信する機能も有する。これにより、レンズ制御回路２０１は、ＭＰＵ１００との間で通信を行い、ＡＦ駆動回路２０２及び絞り駆動回路２０３を介して撮影レンズユニット２００ａ内の撮影レンズ２００及び絞り２０４の駆動を行う。なお、図２では便宜上１枚の撮影レンズ２００のみを図示しているが、実際は多数のレンズ群によって構成される。
【００２１】
ＡＦ駆動回路２０２は、例えばステッピングモータ等によって構成され、レンズ制御回路２０１の制御により撮影レンズ２００内のフォーカスレンズ位置を変化させ、撮像素子３１に撮影光束の焦点を合わせるように調整する。絞り駆動回路２０３は、例えばオートアイリス等によって構成され、レンズ制御回路２０１の制御により絞り２０４を変化させ、光学的な絞り値を得る。
【００２２】
メインミラー３０は、図２に示す撮影光軸５０に対して４５°の角度に保持された状態で、撮影レンズ２００を通過する撮影光束をペンタダハミラー２２へ導くと共に、その一部を透過させて撮像素子３１へ導く。撮像素子３１の詳細は後述する。ここで、メインミラー３０は本発明のミラーに相当し、撮像素子３１は本発明の撮像素子に相当する。
【００２３】
ミラー駆動回路１０１は、例えばＤＣモータとギヤトレイン等によって構成され、メインミラー３０を、ファインダ２により被写体像を観察可能とする位置と、撮影光束から待避する位置とに駆動する。
【００２４】
撮像ユニット４００は、主に光学ローパスフィルタ４１０、圧電部材である圧電素子４３０、撮像素子３１がユニット化されたものである。撮像素子３１は、被写体像を光電変換するものであり、本実施の形態ではＣＭＯＳセンサが用いられる。
【００２５】
撮像素子３１上には、複数の画素（不図示）が配置されている。各画素は左右２分割されており、分割した左側画素のみで生成したＡ像と、右側画素のみで生成したＢ像を独立して読み出すことができる。撮像素子３１から出力される信号は、焦点検出回路１０２へ供給される。焦点検出回路１０２は、Ａ像とＢ像の像ズレ量に基づいて位相差方式の焦点検出を行い、撮像した画像内のデフォーカス量及びデフォーカス方向を求める。これに基づいて、レンズ制御回路２０１及びＡＦ駆動回路２０２を介して撮影レンズ２００内のフォーカスレンズを合焦位置まで駆動する。ここで、焦点検出回路１０２は本発明の測距手段に相当する。
【００２６】
歪み補正判定部３３は焦点検出回路１０２で算出したデフォーカス量およびデフォーカス方向からローリングシャッタ方式による歪みが閾値以上か否かを判定する。ここで、歪み補正判定部３３は本発明の判定手段に相当する。歪み補正判定部３３によって歪みが閾値以上だと判定した場合は、ＭＰＵ１００がローリングシャッタ方式による歪みを補正する歪み補正量を算出する。算出方法は、例えば特開２０１４−１３９６７９号公報に記載された方法がある。
【００２７】
撮像素子３１の前方に配置された光学ローパスフィルタ４１０は、水晶からなる１枚の複屈折板であり、その形状は矩形状である。圧電素子４３０は、単板の圧電素子（ピエゾ素子）であり、ＭＰＵ１００の指示を受けた圧電素子駆動回路１１１により加振され、その振動を光学ローパスフィルタ４１０に伝えるように構成されている。
【００２８】
ペンタダハミラー２２は、メインミラー３０により反射された撮影光束を正立正像に変換反射する。撮影者はファインダ光学系を介してファインダ２から被写体像を観察することができる。ペンタダハミラー２２は、撮影光束の一部を測光センサ４６へも導く。測光回路１０６は、測光センサ４６の出力を得て、観察面上の各エリアの輝度信号に変換し、ＭＰＵ１００に出力する。ＭＰＵ１００は、輝度信号に基づいて露出値を算出する。
【００２９】
シャッタユニット（機械フォーカルプレーンシャッタ）３２は、撮影者がファインダ２により被写体像を観察している時には、シャッタ先幕（不図示）が走行完位置（シャッタ開口部から退避した位置）にあると共に、シャッタ後幕（不図示）が走行前位置（シャッタ開口部から退避した位置）にある。これにより、メインミラー３０を透過した撮影光束の一部がシャッタ開口部を通過して撮像素子３１へ導かれる。撮影時には、撮像素子３１の画素を電子的にリセットする操作を行い、所望のシャッタ秒時が経過した後、シャッタ後幕が走行前位置から走行完位置（シャッタ開口部を遮光する位置）へ移動する遮光走行を行って撮影を完了する。シャッタユニット３２は、ＭＰＵ１００の指令を受けたシャッタ駆動回路１０３により制御される。
【００３０】
クランプ／ＣＤＳ（相関二重サンプリング）回路３４は、Ａ／Ｄ変換する前の基本的なアナログ処理を行うものであり、クランプレベルを変更することも可能である。ＡＧＣ（自動利得調整装置）３５は、Ａ／Ｄ変換する前の基本的なアナログ処理を行うものであり、ＡＧＣ基本レベルを変更することも可能である。Ａ／Ｄ変換器３６は、撮像素子３１のアナログ出力信号をデジタル信号に変換する。
【００３１】
映像信号処理回路１０４は、デジタル化された画像データに対してガンマ／ニー処理、フィルタ処理、モニタ表示用の情報合成処理等、ハードウエアによる画像処理全般を実行する。この映像信号処理回路１０４からのモニタ表示用の画像データは、カラー液晶駆動回路１１２を介してカラー液晶モニタ部５０４に表示される。また、映像信号処理回路１０４は、ＭＰＵ１００の指示に従って、メモリコントローラ３８を通じてバッファメモリ３７に画像データを保存することもできる。
【００３２】
さらに、映像信号処理回路１０４は、ＪＰＥＧ等の画像データ圧縮処理を行うこともできる。連写撮影等、連続して撮影が行われる場合は、一旦バッファメモリ３７に画像データを格納し、メモリコントローラ３８を通して未処理の画像データを順次読み出すこともできる。これにより、映像信号処理回路１０４は、Ａ／Ｄ変換器３６から入力されてくる画像データの速度に関わらず、画像処理や圧縮処理を順次行うことができる。
【００３３】
メモリコントローラ３８は、外部インタフェース４０から入力される画像データを外部メモリ３９に記憶し、外部メモリ３９に記憶されている画像データを外部インタフェース４０から出力する機能を有する。外部メモリ３９としては、カメラ本体１に着脱可能なフラッシュメモリ等が用いられる。
【００３４】
スイッチセンス回路１０５は、各スイッチの操作状態に応じて入力信号をＭＰＵ１００に送信する。スイッチＳＷ１（５１０ａ）は、レリーズボタン５１０の第１ストローク（半押し）によりＯＮする。スイッチＳＷ２（５１０ｂ）は、レリーズボタン５１０の第２ストローク（全押し）によりＯＮする。スイッチＳＷ２（５１０ｂ）がＯＮされると、撮影開始の指示がＭＰＵ１００に送信される。さらに、スイッチセンス回路１０５には、電源ＳＷ５０１、撮影モード設定ダイヤル５０２、メインダイヤル５０３も接続されている。
【００３５】
液晶表示駆動回路１０７は、ＭＰＵ１００の指示に従って、ファインダ内表示部２１を駆動する。
【００３６】
バッテリーチェック回路１０８は、ＭＰＵ１００の指示に従って、バッテリーチェックを行い、その検出結果をＭＰＵ１００に送信する。電源４２は、カメラの各要素に対して電源を供給する。
【００３７】
時刻計測回路１０９は、電源ＳＷ５０１がＯＦＦされて次にＯＮされるまでの時間や日付を計測し、ＭＰＵ１００からの指示に従って、計測結果をＭＰＵ１００に送信する。
図３は、撮影者がファインダ２から被写体を観察した際のファインダ２内での表示例を示した図である。
【００３８】
ファインダ内表示部２１は、ペンタダハミラー２２で反射された被写体像を観察できるファインダ視野領域２３に重畳して表示される視野枠内表示２４と、撮影条件を表示する撮影条件表示２５を備えている。ここで、ファインダ内表示部２１は本発明の表示部に相当する。視野枠内表示２４には、撮影者が選択した測距点を示す測距選択枠２６が表示される。
【００３９】
撮影条件表示２５は、シャッタ秒時を示すシャッタ秒時表示部２５ａ、絞り値を示す絞り表示部２５ｂ、適正露出に対するシフト量を示すシフト量表示部２５ｃ、シフト量の指標となる指標部２５ｄ、警告部２５ｅ及び合焦表示部２５ｆにより構成される。警告部２５ｅは本発明の警告表示に相当する。警告部２５ｅは点灯することで測距選択枠２６が焦点検出領域２７′の外にあることを知らせる。焦点検出領域２７′の詳細は後述する。なお。焦点検出領域２７′は本発明の焦点検出領域に相当する。合焦表示部２５ｅは点灯することで撮影者に被写体が合焦したことを知らせる。
【００４０】
図４（Ａ）はファインダ２から観察した被写体像を示した図であり、図４（Ｂ）は同時刻に撮像素子３１からローリングシャッタ方式で読み出した被写体像を示した図である。
【００４１】
撮影者は、ペンタダハミラー２２で反射された被写体像をファインダ視野領域２３内で確認することができる。撮像素子３１はペンタダハミラー２２を透過した被写体像を撮像領域２３′で光電変換する。撮影者がファインダ２から被写体像を観察している際、撮像素子３１は常にローリングシャッタ方式で読み出しを行っているため、撮像領域２３′の上方と下方ではローリングシャッタ歪みｔが発生する。ローリングシャッタ歪みｔを補正する歪み補正量ｔ′を考慮すると、撮像素子３１上で合焦点を検出可能な領域を示す焦点検出可能領域２７は、ファインダ２上では焦点検出領域２７′領域に相当する。
【００４２】
ここで焦点検出可能領域２７は本発明の焦点検出可能領域に相当し、歪み補正量ｔ′は本発明の歪み補正量に相当する。歪み補正量ｔ′により、ファインダ上では確認できないが、焦点検出可能な領域を示す不可視領域２８も発生する。また、歪み補正量ｔ′により、ファインダ２上で撮影者が選択した測距選択枠２６は、撮像素子３１上では測距枠２６′位置に相当するため、焦点検出可能領域２７の範囲外となる。ここで測距枠２６′は本発明の測距選択点に相当する。
【００４３】
この場合、測距枠２６′を焦点検出可能領域２７内まで水平方向に移動した近似測距可能点２９で合焦を行う。近似測距可能点２９は本発明の近似測距点に相当する。ここでは、近似測距可能点２９を水平に移動するとしたが、焦点検出可能領域２７内のうち、測距枠２６′に最も近い点としてもよい。なお、近似測距点２９′はファインダ２上で近似測距可能点２９に相当する位置であり、本発明の近似合焦点に相当する。
【００４４】
図５は本発明の実施形態の一例であるデジタル一眼レフカメラの信号処理の流れの概略を示したフローチャートである。
【００４５】
ステップ６００のとき、撮影者は予め測距選択枠２６の位置を指示した上で、ファインダ２から被写体を観察している状態である（以下、撮像待機状態とする）。測距選択枠２６の指示は、予めカラー液晶モニタ部５０４上で測距したい個所を指で触れる等で行う。このとき、カメラ本体１は電源がＯＮの状態であり、メインミラー３０は被写体像を観察可能な位置にある。シャッタユニット３２は、シャッタ先幕が走行完位置にあると共に、シャッタ後幕が走行前位置にある。ファインダ内表示部２１は、視野枠内表示２４の測距選択枠２６が点灯している。
【００４６】
撮影条件表示２５は、予め撮影者が設定した撮影条件を表示している。例えば、モード選択ダイヤル５００がシャッタ速度優先モードに設定されている場合は、シャッタ秒時表示部２５ａが設定されたシャッタ秒時を表示し、シフト量表示部２５ｃは設定された露出シフト量を表示している。
【００４７】
まずステップ６０１で、スイッチＳＷ１（５１０ａ）がＯＮされたかを判定する。スイッチＳＷ１（５１０ａ）がＯＮされた場合は、ステップ６０２で焦点検出回路１０２がデフォーカス量とデフォーカス方向を算出し、ステップ６０３へ進む。スイッチＳＷ１（５１０ａ）がＯＦＦの場合は、ステップ６０１を繰り返す。
【００４８】
ステップ６０３では、歪み補正判定部３３がデフォーカス量とデフォーカス方向からローリングシャッタ歪みｔが閾値以上か否かを判定する。ローリングシャッタ歪みｔが閾値以上の場合は、ステップ６０４でＭＰＵ１００がローリングシャッタ歪みｔを補正する歪み補正量ｔ′を算出し、ステップ６０６へ進む。歪み補正量ｔ′は本発明の歪み補正量に相当する。ローリングシャッタ歪みｔが閾値未満の場合は、ステップ６０５へ進む。
【００４９】
ステップ６０６では撮影者によって測距選択枠２６が何れかの位置に指示されているかを判定する。測距選択枠２６の位置が指示されている場合は、ＭＰＵ１００が測距枠２６′が焦点検出可能領域２７の中にあるか否かを判定する（ステップ６０７）。ここでステップ６０７は本発明の測距点判定手段に相当する。
【００５０】
ステップ６０７で測距枠２６′が焦点検出可能領域２７内にあると判定された場合は、測距枠２６′で合焦するように、撮影レンズ２００内のフォーカスレンズを合焦位置まで駆動する（ステップ６１０）。ステップ６０７で測距枠２６′が焦点検出可能領域２７の外にあると判定された場合は、ステップ６０８で焦点検出領域２７′をファインダ２の視野枠内表示２４に表示し、ステップ６０９へ進む。ここで、焦点検出領域２７′が表示されることによって、ファインダ２を覗いている撮影者が焦点を検出可能な領域を把握することができる。
【００５１】
ステップ６０９ではファインダ２の視野枠内表示２４に近似測距点２９′を表示する。ここで、近似測距点２９′が表示されることによって、ファインダ２を覗いている撮影者は実際の合焦点を把握することができる。なお、ステップ６０９を表示することなく、ステップ６１１に進んでもよい。そして、ステップ６１１で近似測距点２９′で合焦するように、撮影レンズ２００内のフォーカスレンズを合焦位置まで駆動する。
【００５２】
ステップ６０６で測距選択枠２６の位置が指示されていない場合は、例えば、焦点検出可能領域２７内で最もカメラ本体１に近接した測距点で合焦するように、撮影レンズ２００内のフォーカスレンズを合焦位置まで駆動する（ステップ６１２）。本発明では最もカメラ本体１に近接した測距点で合焦するとしたが、例えば、人間の顔を判別し、その顔の位置で合焦してもよい。また、撮影者がどこに優先して合焦するかを選択できるようにしてもよい。
【００５３】
ステップ６０３でローリングシャッタ歪みｔが閾値未満の場合は、ステップ６０５で撮影者が測距選択枠２６の位置を指示しているかを判定する。測距選択枠２６の位置が指示されている場合は、測距枠２６′で合焦するように、撮影レンズ２００内のフォーカスレンズを合焦位置まで駆動する（ステップ６１３）。
ステップ６０５で測距選択枠２６の位置が指示されていない場合は、焦点検出可能領域２７内で最もカメラ本体１に近接した測距点で合焦するように、撮影レンズ２００内のフォーカスレンズを合焦位置まで駆動する（ステップ６１２）。なお、前述の通り、合焦の優先条件は変更してもよい。
【００５４】
ステップ６１０からステップ６１３によって、フォーカスレンズを合焦位置まで駆動したら、ステップ６１４で、ファインダ２の合焦表示部２５ｅを点灯し、ステップ６１５へ進む。
【００５５】
ステップ６１５ではスイッチＳＷ２（５１０ｂ）がＯＮされたかを判定する。スイッチＳＷ２（５１０ｂ）がＯＮされた場合は、ステップ６１６で撮影を行う。この時、ミラー駆動回路１０１はメインミラー３０を撮影光束から待避する位置に駆動する。ＭＰＵ１００は撮像素子３１の画素を電子的にリセットする操作を行う。また、ＭＰＵ１００はシャッタユニット３２を制御し、所望のシャッタ秒時が経過した後、シャッタ後幕が走行前位置から走行完位置へ移動する遮光走行を行って撮影を完了する。
【００５６】
ステップ６１６で撮像を行った後は、処理を終了し、撮影待機状態に戻る（ステップ６１８）。ステップ６１５でスイッチＳＷ２（５１０ｂ）がＯＮされていない場合は、ステップ６１７でスイッチＳＷ１（５１０ａ）がＯＮになっているかを判定する。スイッチＳＷ１（５１０ａ）がＯＮの場合は、ステップ６１５を繰り返す。スイッチＳＷ１（５１０ａ）がＯＦＦの場合は、ステップ６１８に進み、撮影待機状態に戻る。
【００５７】
以上説明したように、本実施形態では、撮像面位相差ＡＦが可能な撮像装置において、ローリングシャッタ歪み補正範囲を光学ファインダ上で撮影者に通知することにより、撮影者が意図した位置で測距が可能となる。
【００５８】
［実施例２］
以下、本発明の第２の実施例について図面を参照しながら説明する。図１から図４の説明は実施例１の説明と同一のためここでは割愛する。図６は本発明の実施形態の一例であるデジタル一眼レフカメラの信号処理の流れの概略を示したフローチャートである。
【００５９】
ステップ７００は図５のステップ６００と同一のため説明は割愛する。まずステップ７０１で、スイッチＳＷ１（５１０ａ）がＯＮされたかを判定する。スイッチＳＷ１（５１０ａ）がＯＮされた場合は、ステップ７０２で焦点検出回路１０２がデフォーカス量とデフォーカス方向を算出し、ステップ７０３へ進む。スイッチＳＷ１（５１０ａ）がＯＦＦの場合は、ステップ７０１を繰り返す。
【００６０】
ステップ７０３では、歪み補正判定部３３がデフォーカス量とデフォーカス方向からローリングシャッタ歪みｔが閾値以上か否かを判定する。ローリングシャッタ歪みｔが閾値以上の場合は、ステップ７０４でＭＰＵ１００がローリングシャッタ歪みｔを補正する歪み補正量ｔ′を算出し、ステップ７０６へ進む。ここで、焦点検出領域２７′が表示されることによって、ファインダ２を覗いている撮影者が焦点を検出可能な領域を把握することができる。
【００６１】
ステップ７０６では撮影者によって測距選択枠２６が何れかの位置に指示されているかを判定する。測距選択枠２６の位置が指示されている場合は、ＭＰＵ１００が測距枠２６′が焦点検出可能領域２７の中にあるか否かを判定する（ステップ７０７）。ここでステップ７０７は本発明の測距点判定手段に相当する。
【００６２】
ステップ７０７で測距枠２６′が焦点検出可能領域２７内にあると判定された場合は、測距枠２６′で合焦するように、撮影レンズ２００内のフォーカスレンズを合焦位置まで駆動する（ステップ７１０）。ステップ７０７で測距枠２６′が焦点検出可能領域２７の外にあると判定された場合は、ステップ７０８で撮影条件表示２５の警告部２５ｅを点灯し、ステップ７０９へ進む。なお、撮影条件表示２５の警告部２５ｅを点灯する代わりに、測距選択枠２６の色を変えたり、測距選択枠２６を点滅させたりすることで撮影者に警告してもよい。
【００６３】
ステップ７０９ではファインダ２の視野枠内表示２４に近似測距点２９′を表示する。ここで、近似測距点２９′が表示されることによって、ファインダ２を覗いている撮影者は実際の合焦点を把握することができる。なお、ステップ７０９を表示することなく、ステップ７１１に進んでもよい。そして、ステップ７１１で近似測距点２９′で合焦するように、撮影レンズ２００内のフォーカスレンズを合焦位置まで駆動する。
【００６４】
ステップ７０６で測距選択枠２６の位置が指示されていない場合は、例えば、焦点検出可能領域２７内で最もカメラ本体１に近接した測距点で合焦するように、撮影レンズ２００内のフォーカスレンズを合焦位置まで駆動する（ステップ７１２）。本発明では最もカメラ本体１に近接した測距点で合焦するとしたが、例えば、人間の顔を判別し、その顔の位置で合焦してもよい。また、撮影者がどこに優先して合焦するかを選択できるようにしてもよい。
【００６５】
ステップ７０３でローリングシャッタ歪みｔが閾値未満の場合は、ステップ７０５で撮影者が測距選択枠２６の位置を指示しているかを判定する。測距選択枠２６の位置が指示されている場合は、測距枠２６′で合焦するように、撮影レンズ２００内のフォーカスレンズを合焦位置まで駆動する（ステップ７１３）。ステップ７０５で測距選択枠２６の位置が指示されていない場合は、焦点検出可能領域２７内で最もカメラ本体１に近接した測距点で合焦するように、撮影レンズ２００内のフォーカスレンズを合焦位置まで駆動する（ステップ７１２）。なお、前述の通り、合焦の優先条件は変更してもよい。
【００６６】
ステップ７１０からステップ７１３によって、フォーカスレンズを合焦位置まで駆動したら、ステップ７１４で、ファインダ２の合焦表示部２５ｅを点灯し、ステップ７１５へ進む。
【００６７】
ステップ７１５ではスイッチＳＷ２（５１０ｂ）がＯＮされたかを判定する。スイッチＳＷ２（５１０ｂ）がＯＮされた場合は、ステップ７１６で撮影を行う。この時、ミラー駆動回路１０１はメインミラー３０を撮影光束から待避する位置に駆動する。ＭＰＵ１００は撮像素子３１の画素を電子的にリセットする操作を行う。また、ＭＰＵ１００はシャッタユニット３２を制御し、所望のシャッタ秒時が経過した後、シャッタ後幕が走行前位置から走行完位置へ移動する遮光走行を行って撮影を完了する。ステップ７１６で撮像を行った後、処理を終了し、撮影待機状態に戻る（ステップ７１８）。
【００６８】
ステップ７１５でスイッチＳＷ２（５１０ｂ）がＯＮされていない場合は、ステップ７１７でスイッチＳＷ１（５１０ａ）がＯＮになっているかを判定する。スイッチＳＷ１（５１０ａ）がＯＮの場合は、ステップ７１５を繰り返す。スイッチＳＷ１（５１０ａ）がＯＦＦの場合は、ステップ７１８に進み、撮影待機状態に戻る。
【００６９】
以上説明したように、本実施形態では、撮像面位相差ＡＦが可能な撮像装置において、ローリングシャッタ歪み補正範囲を光学ファインダ上で撮影者に通知することにより、撮影者が意図した位置で測距が可能となる。
【００７０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００７１】
１  カメラ本体、２  ファインダ、２１  ファインダ内表示部、２５ｅ  警告部、
２６′  測距枠、２７  焦点検出可能領域、２７′  焦点検出領域、
２９  近似測距可能点、２９′  近似測距点、３０  メインミラー、３１  撮像素子、
３３  歪み補正判定部、１００  ＭＰＵ、１０２  焦点検出回路、ｔ′  歪み補正量
【図１】
2018005145.tif 000003
【図２】
2018005145.tif 000004
【図３】
2018005145.tif 000005
【図４】
2018005145.tif 000006
【図５】
2018005145.tif 000007
【図６】
2018005145.tif 000008